(57)【要約】【課題】供給会社が用意する模擬券以外の模擬券を用いても保守を行うことができるようにする。【解決手段】紙幣認識部４を備え、模擬券５１を鑑別して保守を行う自動取引装置１において、前記模擬券５１を少なくとも当該サイズおよびマーク５２により設定する模擬券設定手段としての操作部１６と、前記設定による模擬券設定データを格納する記憶手段２１、３ａ、４ａと、を備え、前記模擬券設定データに基づいて模擬券５１を鑑別できるようにした。【選択図】図３
2012022545.tif 000002
【特許請求の範囲】
【請求項１】
鑑別手段を備え、模擬券を鑑別して保守を行う自動取引装置において、
前記模擬券を少なくとも当該サイズおよびマークにより設定する模擬券設定手段と、
前記設定による模擬券設定データを格納する記憶手段と、を備え、
前記模擬券設定データに基づいて模擬券を鑑別できるようにしたことを特徴とする自動取引装置。
【請求項２】
前記サイズは、前記模擬券の長辺、短辺の長さおよび厚さにより設定し、前記マークは、所定のエリアに分割したエリアおよび文字および当該方向により設定するようにしたことを特徴とする請求項１記載の自動取引装置。
【発明の詳細な説明】
【技術分野】
【０００１】
本発明は、模擬券を用いて保守を行う現金自動預払機や現金処理機などの自動取引装置に関するものである。
【背景技術】
【０００２】
一般に、自動取引装置を保守する場合、本物の紙幣（以下、「本券」という）を用いると大量な本券を必要とし本券の滅失、毀損等のおそれもあるため、保守員は本券を使わず、模擬紙幣（以下、「模擬券」という）を使って、保守や点検を行う場合が多い。
【０００３】
この模擬券を用いて自動取引装置の保守を行うために、「本券モード」と「模擬券モード」を設け、「模擬券モード」とした場合、認識部による模擬券の鑑別や、模擬券が搬送路を正確に搬送されるか否かの搬送テストなどが行われる（例えば、特許文献１参照）。
【０００４】
このとき用いられる模擬券は、製造メーカ（以下、「供給会社」という）がそれぞれ、独自のデザインで作成するため、この模擬券以外は使用することができない。
【先行技術文献】
【特許文献】
【０００５】
【特許文献１】特開２００３−１６２７５１号公報
【発明の概要】
【発明が解決しようとする課題】
【０００６】
しかしながら、ＯＥＭ（Ｏｒｉｇｉｎａｌ  Ｅｑｕｉｐｍｅｎｔ  Ｍａｎｕｆａｃｔｕｒｅｒ）にて自動取引装置の供給を受け、自社ブランドにて販売する場合に、供給を受ける会社（以下、「被供給会社」という）が、他の供給会社からすでに別の模擬券を購入し保持している場合でも、今回供給を受ける供給会社から専用の模擬券を改めて購入しなければならず、被供給会社としては、模擬券の購入のために高額な支払をしなければならなかったり、入手までに時間を要してしまったりするという問題があった。
【課題を解決するための手段】
【０００７】
本発明は、前述の課題を解決するため次の構成を採用する。すなわち、鑑別手段を備え、模擬券を鑑別して保守を行う自動取引装置において、前記模擬券を少なくともサイズおよびマークにより設定する手段と、前記設定による模擬券設定データを格納する記憶手段と、を備え、前記模擬券設定データに基づいて模擬券を鑑別できるようにした。
【発明の効果】
【０００８】
本発明の自動取引装置によれば、鑑別手段を備え、模擬券を鑑別して保守を行う自動取引装置において、前記模擬券を少なくともサイズおよびマークにより設定する手段と、前記設定による模擬券設定データを格納する記憶手段と、を備え、前記模擬券設定データに基づいて模擬券を鑑別できるようにしたので、供給会社が用意する模擬券以外の模擬券を用いても保守を行うことができる。
【図面の簡単な説明】
【０００９】
【図１】実施例１の自動取引装置の外観斜視図である。
【図２】実施例１の自動取引装置の制御系ブロック図である。
【図３】実施例１の自動取引装置の要部機能構成図である。
【図４】実施例１の自動取引装置の模擬券の設定の動作説明図である。
【図５】実施例１の自動取引装置の模擬券設定の例示図である。
【図６】実施例１の自動取引装置の模擬券の設定の動作フローチャート図である。
【図７】実施例１の自動取引装置の動作フローチャート図である。
【図８】実施例１の自動取引装置の動作フローチャート図である。
【発明を実施するための形態】
【００１０】
以下、本発明に係わる実施の形態例を、図面を用いて説明する。図面に共通する要素には同一の符号を付す。
【実施例１】
【００１１】
（構成）
図１は、実施例１の自動取引装置の外観を示す斜視図である。同図に示したように、実施例１の自動取引装置１は、取引開始前の認証のためのキャッシュカードを挿入し排出するカード挿入排出口１１と、顧客や保守員が操作する透明タッチパネル上に取引操作画面などを表示するＬＣＤを積層した操作部１６と、紙幣を投入または出金する紙幣入出金口１４と、硬貨を入金または出金する硬貨入出金口１５と、通帳での取引を行う場合に通帳を挿入または排出する通帳挿入排出口１２と、取引明細票を排出する明細書出力口１３を備える。
【００１２】
また、実施例１の自動取引装置１の制御系は、図２に示したような構成となっている。すなわち、自動取引装置１の制御系は、各部を制御する主制御部２０と、これに接続される前述の操作部１６と、スピーカ等から構成され音声案内を行なう音声案内部２２と、キャッシュカードに記録された情報のリードライトを行うカード処理部２３と、通帳記帳等の通帳処理を行う通帳記帳部２４と、取引履歴を取引明細として印字出力する明細票印字部２５と、投入された紙幣の鑑別計数等の入金処理および紙幣を出金する出金処理を行う紙幣入出金部２６と、硬貨について同様の処理を行う硬貨入出金部２７が備えられている。
【００１３】
さらに、実施例１の自動取引装置１は、各部に電源を供給する電源部２８と、主制御部２０の記憶手段としての記憶部２１と、回線３１にて接続された金融機関等のホスト装置４０とのインタフェイスを制御するインタフェイス部３０とが備えられている。
【００１４】
次に、後述する模擬券の設定および当該設定の模擬券を用いた保守に係る要部機能構成を図３に示す。同図に示したように、実施例１の係る機能構成は、記憶部２１を有し前述の音声案内部２２等とからなるユニット装置群５を統括制御する主制御部２０と、顧客または保守員が操作する模擬券設定手段としての操作部１６と、紙幣入出金部２６とからなる。
【００１５】
そして、紙幣入出金部２６は、記憶手段としてのメモリ部３ａを有する紙幣処理部３と、記憶手段としてのメモリ部４ａを有する鑑別手段としての紙幣認識部４とからなる。また、主制御部２０と操作部１６間、主制御部２０と紙幣処理部３間、紙幣処理部３と紙幣認識部４間は、ハードウエアにより接続されており、それぞれがコマンドの送信、レスポンスの受信による通信が行えるようになっている。
【００１６】
そして、本券モード用コマンド、模擬券モード用コマンドが用意されており、紙幣処理部３から当該コマンドが紙幣認識部４に送信されると、各モードのコマンドに応じて、紙幣認識部４のメモリ部４ａに格納されている本券用紙幣鑑別プログラム４ｂまたは模擬券用紙幣鑑別プログラム４ｃを実行できる構成となっている。
【００１７】
なお、「本券モード用コマンド」は運用時に本券による鑑別を行うときに使用されるコマンドであり、「模擬券モード用コマンド」は装置開発時や保守時に模擬券による鑑別を行うときに使用されるコマンドである。
【００１８】
（動作）
以上の構成により実施例１の自動取引装置は、以下のように動作する。この動作を、図４の模擬券設定の動作説明図と図５の模擬券設定の例示図と、図６の模擬券設定の動作フローチャート図、図７および図８の入金時の動作フローチャート図を用いて以下詳細に説明する。
【００１９】
まず、実施例１の模擬券の設定動作について、図４ないし図６を用いて説明する。模擬券５１は図４（ａ）のように表わされ、図４（ｂ）に示したように金額、通貨単位、新旧の属性、サイズ、マークにより設定され、サイズは図４（ｃ）のに基づいて短辺Ｓ、長辺Ｌ、厚さＴにより設定され、マーク５２は図４（ｄ）に基づいてマークの有無、文字、正方向または逆方向の文字の方向、置かれるエリアＡ〜Ｄ（５３ａ〜５３ｄ）として設定される。
【００２０】
例えば、模擬券５１の設定例である図５は、金種１としてエリアＡ（５３ａ）に正方向に文字「５」が印刷された現行の５ユーロ、金種２としてエリアＡ（５３ａ）に正方向に文字「１０」が印刷された現行の１０レアル、金種３としてエリアＢ（５３ｂ）に正方向に文字「１０」が印刷された新紙幣の１０レアルの模擬券を使用する場合の設定例となっている
【００２１】
次に、模擬券５１の設定動作について、図６の動作フローチャート図を用いて、以下詳細に説明する。なお、本動作フローチャート図においては、主制御部２０の各ステップをＳＡ、紙幣処理部３の各ステップをＳＢ、紙幣認識部４の各ステップをＳＲとして表示している。
【００２２】
まず、操作部１６を保守モードに切り替えると、主制御部２０はベンダＡＰＩ（アプリケーションプログラムインタフェイス）を起動し（ステップＳＡ０１）、操作部１６に保守画面を表示する。
【００２３】
そして、保守員が保守画面の模擬券設定を選択すると、主制御部２０は模擬券設定ログラムを開始し（ステップＳＡ０２）、模擬券のサイズの設定画面を表示し、保守員が、図４（ｃ）に基づいてサイズの設定を設定１として実施すると（ステップＳＡ０３）、次に、模擬券のマークの設定画面を表示し、図４（ｄ）に基づいてマークの設定を設定２として実施する（ステップＳＡ０４）。
【００２４】
そして、設定１および設定２を終了すると（ステップＳＡ０５）、設定結果を主制御部２０の記憶部２１に一旦格納するとともに、当該設定結果をＤＡＴＡ  Ｗｒｉｔｅコマンドとともに紙幣処理部３に送信する（ステップＳＡ０６）。
【００２５】
当該コマンドを受信した紙幣処理部３は、紙幣処理部３のメモリ部３ａに前記設定結果を模擬券設定データとして一旦格納するとともに、紙幣認識部４に当該模擬券設定データを送信する（ステップＳＢ０１）。
【００２６】
この模擬券設定データを受信した紙幣認識部４は、模擬券設定データを紙幣認識部４のメモリ部４ａに格納し（ステップＳＲ０１）、紙幣認識部４のメモリ部４ａの本券用紙幣鑑別プログラム４ｂを模擬券用紙幣鑑別プログラム４ｃに置き換える（ステップＳＲ０２）。
【００２７】
そして、模擬券設定および当該置き換えが正常に行われたときは（ステップＳＲ０３）、紙幣処理部３に正常終了の旨を返信し、本処理を終了する。なお、ステップＳＲ０３にて模擬券設定およびプログラム置き換えができないときはエラー表示等のエラー処理を実施し（ステップＳＲ０４）、本処理を終了する。
【００２８】
紙幣認識部４からの正常終了のレスポンスを受信した紙幣処理部３は、ステップＳＢ０１にて一旦格納した設定データを確定データとして設定更新し、主制御部２０に正常終了の旨をＤＡＴＡ  Ｗｒｉｔｅレスポンスとして通知する（ステップＳＢ０２）。
【００２９】
そして、ＤＡＴＡ  Ｗｒｉｔｅレスポンスを受信した主制御部２０は、ステップＳＡ０６にて一旦格納した設定データを確定データとして設定更新し（ステップＳＡ０７）、本処理を終了する。
【００３０】
以上の動作により、例えば図５に示した模擬券設定データが、主制御部２０、紙幣処理部３、紙幣認識部４の記憶手段としての記憶部２１、メモリ部３ａ、４ａに格納されることになる。
【００３１】
次に、上記動作により設定された模擬券設定データに基づいて模擬券を用いた入金による保守動作を図７および図８の動作フローチャートを用いて以下詳細に説明する。なお、本フローチャートにおいては、操作部１６の各ステップをＳＳ、主制御部２０の各ステップをＳＡ、紙幣処理部３の各ステップをＳＢ、紙幣認識部４の各ステップをＳＲとして表示している。また、図７と図８の動作フローチャート図は連結子Ａ〜Ｄにより接続されている。
【００３２】
まず、操作部１６の取引選択画面にて入金取引を選択すると（ステップＳＳ１１）、主制御部２０に入金取引開始を通知し、これを受信した主制御部２０はカード挿入画面に切り替えさせる（ステップＳＳ１２）。このとき、アイドル状態（ステップＳＢ１１）の紙幣処理部３に入金準備コマンドを送信し、これを受信した紙幣処理部３は入金準備動作を開始し（ステップＳＢ１２）、準備を完了すると入金準備正常終了のレスポンスを返信する。
【００３３】
紙幣処理部３からの入金準備正常終了のレスポンスを受信した主制御部２０は、カードの確認をし（ステップＳＡ１１）、入金取引を可能にし（ステップＳＡ１２）、シャッタオープンコマンドを紙幣処理部３に送信し、紙幣の挿入待ち状態とする（ステップＳＡ１３）。
【００３４】
シャッタオープンコマンドを受信した紙幣処理部３はシャッタオープンをし（ステップＳＢ１３）、シャッタオープン正常終了のレスポンスを主制御部２０に返信する。これを受信した主制御部２０は、紙幣を投入するように促す画面を操作部１６に表示させる（ステップＳＳ１３）。このとき、主制御部２０は、紙幣の挿入を監視するコマンドを紙幣処理部４に送信する。
【００３５】
紙幣処理部３は、紙幣挿入を監視し紙幣挿入が完了したときは（ステップＳＢ１４）、紙幣挿入監視正常終了のレスポンスを主制御部２０に返信する。これに対し主制御部２０はシャッタクローズコマンドを紙幣処理部３に送信し、紙幣処理部３がシャッタを閉じるシャッタクローズ正常終了のレスポンスを主制御部２０に返信する（ステップＳＢ１５）。
【００３６】
シャッタクローズ正常終了のレスポンスを受信した主制御部２０は紙幣挿入を完了し（ステップＳＡ１４）、紙幣計数を開始し（ステップＳＡ１５）、操作部１６に紙幣計数中の画面を表示させ（ステップＳＳ１４）、紙幣処理部３には入金計数コマンドを送信して紙幣計数を開始させ（ＳＢ１６）、連結子Ｃを経由して図８に以降し、本券モードのときは（ステップＳＢ１７）、紙幣認識部４への計数コマンドに本券モードをセットし（ステップＳＢ１８）、模擬券モードのときは模擬券モードをセットする（ステップＳＢ１９）。
【００３７】
そして、紙幣処理部３は、前記モードとともに鑑別準備コマンドを紙幣認識部４に送信し、これを受信した紙幣認識部４は、アイドル状態（ステップＳＲ１１）から鑑別準備動作を開始する（ステップＳＲ１２）。
【００３８】
なお、このとき、本券モードのときは基準となる本券用設定値にて紙幣認識を行う本券用紙幣鑑別プログラム４ｂにて鑑別準備動作を開始し、模擬券モードのときは、前述の模擬紙幣設定データに基づいて模擬紙幣用紙幣鑑別プログラム４ｃにて鑑別準備動作を開始する。
【００３９】
そして、鑑別準備正常終了を前記モードとともに紙幣処理部３に返信すると、紙幣処理部３は、紙幣分離処理を開始し（ステップＳＢ２０）、１枚目を分離すると（ステップＳＢ２１）、紙幣認識部４に当該紙幣を搬送し、紙幣認識部４はこれを鑑別し（ステップＳＲ１３）、１枚目の鑑別結果を紙幣処理部３に通知し、これを受信した紙幣処理部３は鑑別結果を保存する（ステップＳＢ２２）。
【００４０】
同様に、２枚目からＮ枚目の鑑別を行い（ステップＳＢ２３〜ＳＢ２５、ＳＲ１４、ＳＲ１５）、紙幣分離を完了し（ステップＳＢ２６）、Ｎ枚目の鑑別結果を受信して保存を終了し（ステップＳＢ２７）、入金計数正常終了のレスポンスをＮ枚の金種別枚数とともに主制御部２０に送信するとともに、紙幣認識部４に鑑別準備解除コマンドを送信する。
【００４１】
これを受信した紙幣認識部４は、鑑別準備を解除し（ステップＳＲ１６）、鑑別準備解除正常終了を紙幣処理部４に送信しアイドル状態とし（ステップＳＲ１７）、本処理を終了する。
【００４２】
一方、鑑別準備解除正常終了を受信した紙幣処理部４は、入金処理を完了し（ステップＳＢ２８）、アイドル状態として（ステップＳＢ２９）、本処理を終了する。
【００４３】
Ｎ枚の金種別枚数とともに入金計数正常終了のレスポンスを受信した主制御部２０は、計数結果を確認し（ステップＳＡ１６）、計数結果を操作部１６に表示させて、顧客または保守員がこれを確認し（ステップＳＳ１５）、本処理が終了する。
【００４４】
以上のように、所望の模擬券に応じて模擬券の設定をし、当該模擬券を用いた入金取引を実施することにより、供給会社が用意した模擬券以外の模擬券であっても、容易に保守を行うことができる。
【００４５】
（実施例１の効果）
以上のように実施例１の自動取引装置によれば、鑑別手段を備え、模擬券を鑑別して保守を行う自動取引装置において、前記模擬券を少なくともサイズおよびマークにより設定する手段と、前記設定による模擬券設定データを格納する記憶手段と、を備え、前記模擬券設定データに基づいて模擬券を鑑別できるようにしたので、供給会社が用意する模擬券以外の模擬券を用いても保守を行うことができる。
【産業上の利用可能性】
【００４６】
以上述べたように、本発明は、模擬券を用いて保守を行う現金自動預払機や現金処理機などの自動取引装置に広く用いることができる。
【符号の説明】
【００４７】
１    自動取引装置
３    紙幣処理部
３ａ  メモリ部
４    紙幣認識部
４ａ  メモリ部
４ｂ  本券用紙幣鑑別プログラム
４ｃ  模擬券用紙幣鑑別プログラム
１１  カード挿入排出口
１４  紙幣入出金口
１６  操作部
２０  主制御部
２１  記憶部
２６  紙幣入出金部
５１  紙幣
５２  マーク
５３ａ〜５３ｄ  エリアＡ〜エリアＤ
Ｓ    短辺
Ｌ    長辺
Ｔ    厚さ
【図１】
2012022545.tif 000003
【図２】
2012022545.tif 000004
【図３】
2012022545.tif 000005
【図４】
2012022545.tif 000006
【図５】
2012022545.tif 000007
【図６】
2012022545.tif 000008
【図７】
2012022545.tif 000009
【図８】
2012022545.tif 000010